(57)【特許請求の範囲】
【請求項１】
感光体と、前記感光体に対向して配置されたコロナ放電用のコロトロンと、前記コロトロンに定電流の直流電圧を印加する第一の高圧電源と、前記感光体の導体部に定電圧の直流高圧を印加し感光体の基準電位とする第二の高圧電源とで構成され、前記第一の高圧電源の低電位側出力に接続した検出抵抗と、前記第二の高圧電源の低電位側出力は接地するとともに、前記第一の高圧電源の高電位側出力に前記コロトロンを接続して前記第二の高圧電源の高電位側出力を前記感光体の導体部に接続したうえでこの高電位側出力と前記第二の高圧電源の低電位側出力との間にバイパス抵抗を接続し、前記第一の高圧電源により前記感光体や前記コロトロンおよび前記バイパス抵抗に流れる出力電流値の絶対値と前記バイパス抵抗の抵抗値との積であるバイパス電圧値が前記第二の高圧電源の前記定電圧の直流高圧の絶対値より低くなるようにして、前記定電圧の直流高圧を前記第二の高圧電源内の出力側巻線電圧と前記バイパス電圧値とを重畳させることにより得るものとし、前記第二の高圧電源内の検出回路によって前記第二の高圧電源の出力電圧を検出しつつ、前記出力電圧の検出に応じて前記出力側巻線電圧を調整したうえで、前記出力側巻線電圧と前記バイパス電圧値とを重畳させて前記第二の高圧電源出力電圧を一定とすることを特徴とする高圧電源装置。
【発明の詳細な説明】
【０００１】
【発明の属する技術分野】
本発明は、電子写真装置の感光体に電位を供給する高圧電源装置に関するものである。
【０００２】
【従来の技術】
従来この種の高圧電源装置は図２に示すように構成されていた。図２において１はトランスであり、一次巻線２、二次巻線３、三次巻線４で構成されている。５はトランス１を制御駆動する制御回路、６は二次巻線３に発生した交流高圧を整流するダイオード、７は平滑コンデンサ、８は三次巻線４に発生した交流を整流するダイオード、９は平滑コンデンサ、１０は出力電流を検出する検出抵抗、１１は前記検出抵抗１０で検出された電流を増幅するトランジスタ、１２は出力電流を制御回路５に帰還するフォトカプラで、ダイオード８側が三次巻線４に、トランジスタ１１側が制御回路５に接続されている。
【０００３】
以上で第一の高圧電源が構成されている。
【０００４】
１３はトランスであり、一次巻線１４、二次巻線１５、三次巻線１６で構成されている。１７はトランス１３を制御駆動する制御回路で、１８は二次巻線１５に発生した交流高圧を整流するダイオード、１９は平滑コンデンサ、２０は三次巻線１６に発生した交流を平滑するダイオード、２１は平滑コンデンサ、２２は可変抵抗であり、トランス１３に発生する電圧を調整するものである。
【０００５】
以上で第二の高圧電源が構成されている。
【０００６】
２３は第一の高圧電源が印加されるコロトロン、２４は第二の高圧電源が印加される感光体である。
【０００７】
ここで第二の高圧電源は、感光体２４を接地と電位差をもたせるための定電圧電源であり、三次巻線１６により電圧検出を行っている。
【０００８】
第一の高圧電源は第二の高圧電源に重畳されかつ定電流電源であるため、出力電流はコロトロン２３のワイヤーからコロトロン２３の安定板と感光体２４に流れ、検出抵抗１０を流れる。
【０００９】
ここで検出抵抗１０は、第二の高圧電源の出力側に接続され、接地との間に電位差があるため、制御回路５に帰還するためにフォトカプラ１２で電気的に分離されている。また、フォトカプラ１２は電子写真で用いられる高圧電源の微少電流（数１０μＡ〜数１００μＡ程度）では動作が不完全なため、増幅のためのトランジスタ１１、三次巻線４、整流ダイオード８及び平滑コンデンサ９を備えている。
【００１０】
【発明が解決しようとする課題】
上記構成においては感光体２４が直流電源でバイアスされており、しかも出力電流を定電流にする必要があり、したがって電流検出をバイアス電圧レベルからフォトカプラ１２でアース電位レベルとフォトアイソレーションする必要があり、コストアップするという課題を有するものであった。
【００１１】
そこで本発明は低コスト化を図ることを目的とするものである。
【００１２】
本発明は上記課題を解決するために感光体と接地間すなわち、直流バイアスされた出力と接地電位間に帯電電流を流すためのバイアス抵抗を接続し、この抵抗値は直流バイアス電圧を出力電流で割った抵抗値より低くすることでその抵抗で生じる電圧と出力電圧を供給する電源とを重畳動作させて定電圧出力を得るものであり、そしてこの重畳動作および帯電電流の検出を接地した底電位側において行うことで、絶縁のためのフォトアイソレーションを削除することにより、低コスト化が図れるものである。
【００１３】
【発明の実施の形態】
本発明の請求項１記載の電子写真用高圧電源装置の発明は、感光体と、前記感光体に対向して配置されたコロナ放電用のコロトロンと、前記コロトロンに定電流の直流電圧を印加する第一の高圧電源と、前記感光体の導体部に定電圧の直流高圧を印加し、感光体の基準電位とする第二の高圧電源とで構成され、前記第一の高圧電源と、前記第二の高圧電源の低電位側を接地するとともに、前記第二の高圧電源の出力側と接地間に抵抗を接続し、前記第一の高圧電源の出力電流値の絶対値と前記抵抗の抵抗値との積が前記第二の高圧電源の出力電圧の絶対値より低くすることによりフォトアイソレーションの削除が行なえるものである。
【００１４】
以下本発明の一実施形態を添付図面を用いて説明する。
【００１５】
図１の３０はトランスで、一次巻線３１と二次巻線３２を備えている。３３はトランス３０を制御駆動する制御回路、３４は二次巻線３２に発生した交流高圧を整流するダイオード、３５は平滑コンデンサ、３６は出力電流を検出する検出抵抗で、以上の物で第一の高圧電源が構成されている。
【００１６】
３７はトランスであり、一次巻線３８、二次巻線３９、三次巻線４０で構成されている。４１はトランス３７を制御駆動する制御回路、４２は二次巻線３９に発生した交流高圧を整流するダイオード、４３は平滑コンデンサ、４４はバイパス抵抗、４５は三次巻線４０に発生した交流を平滑するダイオード、４６は平滑コンデンサ、４７は可変抵抗であり、トランス３７に発生する電圧を調整するものである。以上の物で第二の高圧電源が構成されている。４８は第一の高圧電源が印加されるコロトロン、４９は第二の高圧電源が印加される感光体である。
【００１７】
次に動作について説明する。第二の高圧電源は感光体４９を接地と電位差をもたせるための定電圧電源であり、三次巻線４０により電圧検出を行っている。第一の高圧電源は第二の高圧電源に重畳され、かつ定電流電源であるため、出力電流はコロトロン４８のワイヤーからコロトロン４８の安定板と感光体４９に流れ、バイパス抵抗４４に流れ、検出抵抗３６に流れる。ここで、検出抵抗３６とバイパス抵抗４４は同接地で接続されるため、検出抵抗３６で検出された電圧が制御回路３３に帰還され、第一の高圧電源の定電流制御が可能になる。
【００１８】
【発明の効果】
以上のように本発明は感光体と対向して配置されたコロナ放電用のコロトロンと、コロトロンに定電流の直流高圧を印加する第一の高圧電源と、感光体の導体部に定電圧の直流高圧を印加し、感光体の基準電位とする第二の高圧電源とで構成される電子写真装置において、第一の高圧電源の出力電流をフォトアイソレーションせずに定電流制御を行うものであり、コスト的に有利なものとなる。
【図面の簡単な説明】
【図１】本発明の一実施形態の高圧電源装置の回路図
【図２】従来の高圧電源装置の回路図
【符号の説明】
４４  バイパス抵抗
４８  コロトロン
４９  感光体
【図１】
0004639437.tif 000002
【図２】
0004639437.tif 000003